(57)【要約】【課題】使用時の携帯電話機全体のコンパクト化を図ることができ、操作性を向上することができるようにすること。【解決手段】携帯電話機１０は、第１ないし第３のフラップ体１１〜１３と、これら第１ないし第３のフラップ体１１〜１３を連結して回動させる回動手段１５とを備えて構成されている。回動手段１５は、各フラップ体１１〜１３にそれぞれ連結される第１ないし第３の回転軸部２７〜２９と、これら回転軸部２７〜２９に連設されて各フラップ体１１〜１３を相対回転させるヒンジ部３０とを備えている。回動手段１５は、各フラップ体１１〜１３が厚み方向に重ねられた状態と、各フラップ体１１〜１３の表裏各面のうち一方の面が同一面上にそれぞれ位置する状態との間で各フラップ体１１〜１３を回動可能に設けられている。【選択図】図４
2010028688.tif 000002
【特許請求の範囲】
【請求項１】
回動手段を介して連結された少なくとも三体のフラップ体を有する携帯電話機において、
前記回動手段は、各フラップ体が厚み方向に重ねられた状態と、各フラップ体の表裏各面のうち一方の面が同一面上にそれぞれ位置する状態との間で各フラップ体を回動可能に設けられていることを特徴とする携帯電話機。
【請求項２】
回動手段を介して連結された第１ないし第３のフラップ体を備えた携帯電話機において、
前記回動手段は、各フラップ体にそれぞれ連結される回転軸部と、これら回転軸部に連設されて各フラップ体を相対回転させるヒンジ部とを備え、前記各フラップ体が厚み方向に重ねられた状態と、ヒンジ部を介して前記回転軸部の回転中心位置を１２０°間隔毎に位置するよう各フラップ体を回転した状態を経て、回転軸部を介して各フラップ体を回転し、当該各フラップ体の表裏各面のうち一方の面が同一面上にそれぞれ位置する状態との間で各フラップ体を回動可能に設けられていることを特徴とする携帯電話機。
【請求項３】
前記第１ないし第３のフラップ体は、回転軸部側に一対の傾斜端面をそれぞれ備え、当該傾斜端面は、隣り合うフラップ体の傾斜端面に沿う形状にそれぞれ設けられていることを特徴とする請求項２記載の携帯電話機。
【請求項４】
前記第１のフラップ体は、押圧操作可能な複数のキーからなるキー操作部を備え、
前記第２のフラップ体は、表面上での指先のスライド操作及び又はタップ操作を検出可能なパッド部を備え、
前記第３のフラップ体は、表示ユニットを備えていることを特徴とする請求項２又は３記載の携帯電話機。
【発明の詳細な説明】
【技術分野】
【０００１】
本発明は、携帯電話機に係り、更に詳しくは、回転可能な三体以上のフラップ体を備えた携帯電話機に関する。
【背景技術】
【０００２】
従来より、いわゆる折り畳みタイプの携帯電話機が広く利用されている他、例えば、特許文献１に開示されたタイプの携帯電話機も知られている。同文献の携帯電話機は、三体の板状をなすフラップ体と、これらフラップ体を回動可能に連結するヒンジ体とを備えている。この携帯電話機では、使用時に、操作キー等を有する二体のフラップ体を左右に並べ、これらフラップ体の間にディスプレイを有する一体のフラップ体が位置するようになっている。
【０００３】
【特許文献１】特開２００５−１５１１６６号公報
【発明の開示】
【発明が解決しようとする課題】
【０００４】
しかしながら、特許文献１にあっては、使用時において、ディスプレイを有するフラップ体が左右のフラップ体に対し、厚み方向に重なるようになっている。具体的には、左右のフラップ体における操作キー等を有する面上で、ディスプレイの表示面が傾いた状態で使用される。このため、使用時における携帯電話機全体の厚み方向のサイズが大きくなり、取扱性が低下する傾向がある、という不都合を生じる。また、操作方法によっては、フラップ体を持ち難くなったり、ディスプレイが見難くなるおそれがある、という不都合も招来する。
【０００５】
［発明の目的］
本発明は、このような不都合に着目して案出されたものであり、その目的は、使用時の携帯電話機全体のコンパクト化を図ることができ、操作性を向上することができる携帯電話機を提供することにある。
【課題を解決するための手段】
【０００６】
前記目的を達成するため、本発明は、回動手段を介して連結された少なくとも三体のフラップ体を有する携帯電話機において、
前記回動手段は、各フラップ体が厚み方向に重ねられた状態と、各フラップ体の表裏各面のうち一方の面が同一面上にそれぞれ位置する状態との間で各フラップ体を回動可能に設けられる、という構成が採用されている。
【０００７】
また、本発明は、回動手段を介して連結された第１ないし第３のフラップ体を備えた携帯電話機において、
前記回動手段は、各フラップ体にそれぞれ連結される回転軸部と、これら回転軸部に連設されて各フラップ体を相対回転させるヒンジ部とを備え、前記各フラップ体が厚み方向に重ねられた状態と、ヒンジ部を介して前記回転軸部の回転中心位置を１２０°間隔毎に位置するよう各フラップ体を回転した状態を経て、回転軸部を介して各フラップ体を回転し、当該各フラップ体の表裏各面のうち一方の面が同一面上にそれぞれ位置する状態との間で各フラップ体を回動可能に設けられる、という構成を採っている。
【０００８】
本発明において、前記第１ないし第３のフラップ体は、回転軸部側に一対の傾斜端面をそれぞれ備え、当該傾斜端面は、隣り合うフラップ体の傾斜端面に沿う形状にそれぞれ設けられる、という構成が好ましくは採用される。
【０００９】
また、前記第１のフラップ体は、押圧操作可能な複数のキーからなるキー操作部を備え、
前記第２のフラップ体は、表面上での指先のスライド操作及び又はタップ操作を検出可能なパッド部を備え、
前記第３のフラップ体は、表示ユニットを備えることが好ましい。
【発明の効果】
【００１０】
本発明によれば、各フラップ体の面が同一面上にそれぞれ位置するので、各フラップ体をそれらの厚みに収まるような状態とすることができ、使用時における携帯電話機全体の厚みを小さくしてコンパクト化や取扱性の向上を図ることが可能となる。
ここで、回転軸部の回転中心位置を１２０°間隔毎に位置するようにすれば、第１及び第２のフラップ体の相対角度も１２０°となり、それらフラップ体が両手で持ち易くなって操作性を高めることができる。
このとき、もう一体のフラップ体を第３のフラップ体として表示ユニットを設ければ、前記操作性を良好に保ちつつ表示ユニットも見易い状態とすることが可能となる。更には、第１のフラップ体がキー操作部を備え、第２のフラップ体がパッド部を備えた構成とした場合、押圧操作やスライド操作等のバリエーション豊かな操作を組み合わせて行うができ、楽器や音楽等のプログラムによる制御を行うことで演奏等を楽しむことが可能となる。
【００１１】
また、第１ないし第３のフラップ体の回転軸部側に一対の傾斜端面をそれぞれ形成した場合、隣り合うフラップ体に重なり合うことなく各フラップ体をヒンジ部の回転中心に近付けることができ、使用時における平面サイズの縮小化も図ることが可能となる。
【発明を実施するための最良の形態】
【００１２】
以下、本発明の好ましい実施の形態について図面を参照しながら説明する。
【００１３】
図１には、実施形態に係る携帯電話機を閉じた状態の正面図が示され、図２には、その平面図、図３には、その左側面図が示されている。また、図４には、前記携帯電話機を開いた状態の正面図が示され、図５には、その背面図、図６には、その左側面図が示されている。これらの図において、携帯電話機１０は、第１ないし第３のフラップ体１１〜１３と、これら第１ないし第３のフラップ体１１〜１３を連結して回動させる回動手段１５とを備えて構成されている。携帯電話機１０は、通話やメール等、公知の携帯電話が有する一般的機能の他、後述する電子楽器やＡＶ視聴機器としての機能を備えている。なお、説明の便宜上、第１ないし第３のフラップ体１１〜１３において、特に明示しない限り、図４で手前側に表出する面を表面とし、図５で手前側に表出する面を裏面として説明する。
【００１４】
図２及び図３に示されるように、第１ないし第３のフラップ体１１〜１３は、厚み方向に重ねられることで閉じた状態となり、この状態において、第３のフラップ体１３は、第１及び第２のフラップ体１１，１２の間に位置する。
【００１５】
図４に示されるように、第１のフラップ体１１は、その表面に押圧操作可能な複数のキー１７Ａからなるキー操作部１７を備え、通話やメール等を行う場合に、テンキーやメニュー選択の操作に用いられる。第１のフラップ体１１の表面における自由端側には、主に通話用に用いられるマイク１８が設けられている。また、第１のフラップ体１１の裏面には、内蔵されたスピーカから発せられる音を通過させるための多数の穴１９が設けられている。第２のフラップ体１２は、その表面にいわゆるタッチパッドと称されるパッド部２０を備え、表面上での指先のスライド操作の軌跡を検出したり、叩くようなタップ操作を検出したりできるようになっている。第２のフラップ体１２の裏面には、カメラ用のレンズ２１が設けられている。第３のフラップ体１３は、その表面に液晶ディスプレイ等からなる表示ユニット２３と、この表示ユニット２３の隣接位置に設けられるとともに、主に通話用に用いられるスピーカ２４とを備えている。
【００１６】
第１ないし第３のフラップ体１１〜１３は、回転手段１５側に向かって先細となる一対の傾斜端面２５，２５をそれぞれ備えている。当該傾斜端面２５，２５は、図４及び図５に示される開いた状態で、隣り合うフラップ体１１〜１３に形成された傾斜端面２５，２５に沿って対向する形状にそれぞれ設けられ、隣り合うフラップ体１１〜１３が重なり合うことなく後述するヒンジ部の回転中心に近付けることが可能となる。また、第１ないし第３のフラップ体１１〜１３は、各傾斜端面２５，２５の間で後述する第１ないし第３の回転軸部を回転且つ受容可能に設けられている。
【００１７】
前記回転手段１５は、図７（Ａ）〜（Ｄ）にも示されるように、各フラップ体１１〜１３にそれぞれ連結される第１ないし第３の回転軸部２７〜２９と、これら第１ないし第３の回転軸部２７〜２９に連設されて各フラップ体１１〜１３を相対回転させるヒンジ部３０とを備えている。
【００１８】
前記第１ないし第３の回転軸部２７〜２９は、図５及び図８中二点鎖線で示される位置を回転中心位置として、同図中矢印Ｒ１，Ｒ２方向に各フラップ体１１〜１３を回転可能に設けられている。
【００１９】
前記ヒンジ部３０は、前記第１ないし第３の回転軸部２７〜２９にそれぞれ連設されて円弧状の端面を有する第１ないし第３のスペーサ３１〜３３と、第１及び第２のスペーサ３１，３２にそれぞれ連設された二分割型の軸形成体３５，３６と、第３のスペーサ３３に連設されるとともに、各軸形成体３５，３６を受容して回転可能に連結する一対の軸受部３８，３８とを備えている。前記ヒンジ部３０は、図３及び図８の点Ｃを回転中心位置として第３のフリップ体１３の表裏各面から第１及び第２のフリップ体１１，１２をそれぞれ離間及び接近する方向に回転可能に設けられる。この回転により、第１ないし第３の回転軸部２７〜２９の回転中心位置が１２０°間隔毎に位置するように設定可能となる（図８参照）。
【００２０】
以上の構成において、通話やメール等の機能を利用する場合、図９〜図１１に示されるように、閉じた状態から第３のフラップ体１３から第１のフラップ体１１を離れる方向にヒンジ部３０を介して回転する。これにより、公知の携帯電話と同様に、表示ユニット２３を見ながらキー操作部１７を操作して所定の入力を行ったり、マイク１８を口元の近付けつつ、スピーカ２４を耳元に近付けて通話を行うことができる。
【００２１】
この状態から図４〜図６に示される開いた状態とする場合、第３のフラップ体１３から第２のフラップ体１２を離れる方向にヒンジ部３０を介して１２０°回転する。すると、図８に示されるように、第１ないし第３の回転軸部２７〜２９の回転中心位置が１２０°間隔毎に位置する状態となる。この状態を経た後、第１ないし第３の回転軸部２７〜２９を介して各フラップ体１１〜１３を図８中矢印Ｒ２方向に９０°回転することにより、各フラップ体１１〜１３の表面が同一面上にそれぞれ位置する状態となる。この状態では、第３のフラップ体１３の表示ユニット２３の表示内容を見ながら、右手で第１のフラップ１１を把持してキー操作部１７を押圧操作しつつ、左手で第２のフラップ１２を把持してパッド部２０を操作可能となる。
【００２２】
従って、例えば、図示しない制御手段を介して楽器プログラムを起動した場合、表示ユニット２３の演奏ガイド等を見ながら、キー操作部１７やパッド部２０を操作することで音色や音高を調整可能な電子楽器として演奏を行うことができる。また、制御手段を介して音楽プログラムやビデオプログラムを起動した場合、キー操作部１７やパッド部２０を操作することで、楽曲や番組を選択したり、音量やテンポ等を調整可能なＡＶ視聴機器として利用することができる。また、メール等の携帯電話の機能の入力操作や、ゲームプロブログラムを起動した場合のコントロール操作もキー操作部１７及びパッド部２０を介して両手で行うことができる。
【００２３】
なお、携帯電話機１０を開いた状態から図１〜図３に示される閉じた状態とする場合は、前述と逆の手順で各フリップ体１１〜１３の回動操作を行えばよい。
【００２４】
従って、このような実施形態によれば、図４〜図６に示される開いた状態では、各フラップ体１１〜１３の表面が同一面上にそれぞれ位置するので、この状態での携帯電話機１０全体の厚みのコンパクト化を図ることができ、良好な取扱性を発揮することが可能となる。また、開いた状態で各フラップ体１１〜１３の表面を正面視した場合、第１及び第２のフラップ体１１，１２が１２０°間隔で位置するので、それらを両手で把持し易くなり、ひいては、キー操作部１７やパッド部２０の操作性も高めることが可能となる。しかも、この状態で、キー操作部１７やパッド部２０と略同一面上に表示ユニット２３も位置するので、当該表示ユニット２３の見易さも向上させることができる。
【００２５】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施形態に対し、形状、位置若しくは方向、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００２６】
例えば、各フラップ体１１〜１３に搭載する機能は、図示構成例に限られるものでなく、第２のフラップ体１２の裏面にも前述のパッド部２０と同様のパッド部を設ける等、種々の変更が可能である。
【００２７】
また、図４〜図６に示される開いた状態から、第１ないし第３の回転軸部２７〜２９を介して各フラップ体１１〜１３の少なくとも一体を１８０°回転した態様として利用することもできる。
例えば、図５に示される状態から第３のフラップ体１３を１８０°回転して表示ユニット２３を正面に向けるとともに、第２のフラップ体１２にもスピーカを設けた場合、テーブル等に携帯電話器１０を置いた状態で、正面側に二体のスピーカ用の穴と画面とが位置することとなる。これにより、映像と音声の両方を良好に鑑賞できるＡＶ視聴機器として利用可能となる。
また、図４に示される状態から第１のフラップ体１１を１８０°回転してスピーカ用の穴１９を正面に向けた場合、正面側にスピーカ用の穴１９と表示ユニット２３とパッド部２０とが位置することとなる。更に、第２のフラップ体１２にスピーカを設け、図４に示される状態から第２のフラップ体１２を１８０°回転して多数のスピーカ用の穴を正面に向けた場合、正面側にスピーカ用の穴と表示ユニット２３とキー操作部１７とが位置することとなる。これにより、正面側で映像と音声の両方を楽しみつつ、パッド部２０或いはキー操作部１７による所定操作が行えるゲーム機やＡＶ視聴機器として利用可能となる。
【００２８】
更に、前記フラップ体の形成数は、図示構成例に限られず、更に増設してもよい。但し、前記実施形態のように三体のフラップ体１１〜１３とすれば、それらを図４に示されるように１２０°間隔毎に配置可能として良好な操作性を発揮可能となる。
【００２９】
また、携帯電話機１０を開いた状態において、各フラップ体１１〜１３の裏面を同一面上に位置させたり、表面及び裏面の両方を同一面上に位置させたりできるような形態としてもよい。
【図面の簡単な説明】
【００３０】
【図１】実施形態に係る携帯電話機を閉じた状態の正面図。
【図２】図１の平面図。
【図３】図１の左側面図。
【図４】前記携帯電話機を開いた状態の正面図。
【図５】図４の背面図。
【図６】図４の左側面図。
【図７】（Ａ）は回動手段の分解左側面図、（Ｂ）は（Ａ）を上から見た図、（Ｃ）はヒンジ部による回転後の回動手段の左側面図、（Ｄ）は回動手段の概略分解斜視図。
【図８】第１ないし第３のフラップ体の動作説明用左側面図。
【図９】前記携帯電話機の通話等の利用時の左側面図。
【図１０】図９の底面図。
【図１１】図９の正面図。
【符号の説明】
【００３１】
１０・・・携帯電話機、１１・・・第１のフラップ体、１２・・・第２のフラップ体、１３・・・第３のフラップ体、１５・・・回転手段、１７・・・キー操作部、２０・・・パッド部、２３・・・表示ユニット、２５・・・傾斜端面、２７・・・第１の回転軸部、２８・・・第２の回転軸部、２９・・・第３の回転軸部、３０・・・ヒンジ部
【図１】
2010028688.tif 000003
【図２】
2010028688.tif 000004
【図３】
2010028688.tif 000005
【図４】
2010028688.tif 000006
【図５】
2010028688.tif 000007
【図６】
2010028688.tif 000008
【図７】
2010028688.tif 000009
【図８】
2010028688.tif 000010
【図９】
2010028688.tif 000011
【図１０】
2010028688.tif 000012
【図１１】
2010028688.tif 000013